(57)【特許請求の範囲】
【請求項１】
複数の模様に対応した縫いデータを記憶して、作業者が選択した模様の縫いデータを読み出して、この縫いデータに従って布送りしながら上糸と下糸により布に縫目を形成するミシンにおいて、
複数の模様情報と、各模様の縫製用途及び／又は縫い方説明を記憶した記憶手段と、
模様情報と、模様の縫製用途及び／又は縫い方説明を読み出して表示する表示手段と、
表示された模様情報に基づいて模様を選択する選択手段と、
前記表示手段に、複数の模様情報を選択できるように表示する模様選択画面と、選択された模様の縫製用途及び／又は縫い方説明を一緒に表示する表示制御手段と、
を備えたことを特徴とするミシン。
【請求項２】
複数の模様に対応した縫いデータを記憶して、作業者が選択した模様の縫いデータを読み出して、この縫いデータに従って布送りしながら上糸と下糸により布に縫目を形成するミシンにおいて、
複数の模様情報と、各模様の縫製用途及び／又は縫い方説明を記憶した記憶手段と、
模様情報と、模様の縫製用途及び／又は縫い方説明を読み出して表示する表示手段と、
模様情報を選択する第１と第２の選択手段と、
第１の選択手段が操作されたときは、前記表示手段に複数の模様情報を選択できるように表示し、第２の選択手段が操作されたときは、前記表示手段に、複数の模様情報を選択できるように表示する模様選択画面と、選択された模様の縫製用途及び／又は縫い方説明を一緒に表示する表示制御手段と、
を備えたことを特徴とするミシン。
【発明の詳細な説明】
【０００１】
【発明の属する技術分野】
本発明は、ミシン、更に詳細には、複数の模様情報と、各模様の縫製の縫い用途ないし縫い方説明の情報を表示できる表示手段を備えたミシンに関する。
【０００２】
【従来の技術】
従来からミシンには、直線やジグザグ模様、文字や花などの図形模様のように多くの模様が記憶されており、作業者が適宜に模様選択して縫製できるようになっている。
【０００３】
この場合、文字や花などの図形模様は、主に柄として用いられる。一方、直線やジグザグ模様は、第１に文字や図形模様と同様に柄として布に縫目を形成したり、第２に直線では２枚の布を縫いあわせる、ジグザグではキルティングとしてその模様を楽しみながら縫いあわせるといった単純な操作により縫目を形成したり、第３に、ピンタック、いせ込み、ギャザー、ファスナー付け、ふせ縫いなどで使う直線縫い、あるいはスラックスのすそ上げに用いるまつり縫いのように、例えば布の折り曲げや切断などの布扱いの中で縫目形成するように、複数の作業工程からなる縫製用途に用いられる。
【０００４】
従来のミシンには、表示装置とタッチスイッチを組み合せて多くの種類の模様を選択できるようになっており、さらにこの表示装置を使って、上記複数の作業工程からなる縫製用途やその縫い方説明をイラストや説明文により詳しく表示できるようになっている。
【０００５】
【発明が解決しようとする課題】
従来のミシンでは、模様を選択する模様選択画面と、模様の縫製用途や縫い方説明画面は別画面となっており、縫い方説明は、模様順にまとめて表示するように構成しており、模様選択時に用途を確認したい場合には、所定の操作により直ちに縫い方説明の表示ができるようになっている。しかしながら、初心者であって、何度も縫い方説明画面を繰り返して開く人の場合には、選択操作の手間がかかることがあり、また、縫い方説明画面があることを忘れてしまう場合があった。
【０００６】
本発明は、このような問題点を解決するためになされたもので、選択模様の表示並びに選択された模様の縫製用途ないし縫い方説明を効果的に表示できるミシンを提供することをその課題とする。
【０００７】
【課題を解決するための手段】
本発明は、複数の模様に対応した縫いデータを記憶して、作業者が選択した模様の縫いデータを読み出して、この縫いデータに従って布送りしながら上糸と下糸により布に縫目を形成するミシンに関するものであり、
複数の模様情報と、各模様の縫製用途及び／又は縫い方説明を記憶した記憶手段と、
模様情報と、模様の縫製用途及び／又は縫い方説明を読み出して表示する表示手段と、
表示された模様情報に基づいて模様を選択する選択手段と、
前記表示手段に、複数の模様情報を選択できるように表示する模様選択画面と、選択された模様の縫製用途及び／又は縫い方説明を一緒に表示する表示制御手段と、
を備えたことを特徴とする。
【０００８】
このような構成では、模様選択画面が表示されるとともに、選択される模様に対応する縫い用途ないし縫い方説明などを一緒に表示でき、ワンタッチで模様の選択、並びに選択された模様の縫い用途ないし縫い方説明を同じ画面に表示することができる。
【０００９】
また、本発明の別の態様は、
複数の模様情報と、各模様の縫製用途及び／又は縫い方説明を記憶した記憶手段と、
模様情報と、模様の縫製用途及び／又は縫い方説明を読み出して表示する表示手段と、
模様情報を選択する第１と第２の選択手段と、
第１の選択手段が操作されたときは、前記表示手段に複数の模様情報を選択できるように表示し、第２の選択手段が操作されたときは、前記表示手段に、複数の模様情報を選択できるように表示する模様選択画面と、選択された模様の縫製用途及び／又は縫い方説明を一緒に表示する表示制御手段と、
を備えたことを特徴とする。
【００１０】
このような構成では、選択模様のみを表示した画面と、模様選択画面と縫い用途などを一緒に表示した画面とに切り替えることが可能になる。
【００１１】
【発明の実施の形態】
以下、図面に基づいて本発明の実施の形態を詳細に説明する。
【００１２】
図１に示す本発明のミシンの一例である刺繍ミシン１は、ミシン胴部２、ミシンアーム３、刺繍ミシン１に着脱自在のミシンベッド６からなり、スタート／ストップスイッチ４ａ、リバーススイッチ４ｂ、糸切りスイッチ４ｃ、針を上位置又は下位置に交互に移動させる半針スイッチ４ｄ、操作パネル５、縫い速度調整ボリューム２５を備える。
【００１３】
ミシンベッド６には、刺繍装置８が装着された刺しゅう縫い用のもの（図１）と、刺繍装置８がなくミシン本体の送り歯を使用して実用模様やジグザグ模様を形成するためのもの（図示せず）の２種類が用意され、ミシンに対して機械的、電気的に接続するためのコネクター５０によって制御部１１（図２）は、いずれのミシンベッド６であるかを検出して、刺繍装置８が装着された場合は、縫いモードが刺繍モードとなり、刺繍装置８が装着されていない場合は縫いモードが本体モードとなり、これらの縫いモードに従って縫いデータの読み出し、編集や起動モータの選別が行なわれる。
【００１４】
刺繍装置８が装着されている場合のミシンベッド６において、刺繍装置８は、刺繍を施す布を保持する刺繍枠８ａ（２点鎖線で表わしている）を備えるもので、キャリッジ７に対して刺繍枠８ａが着脱可能に取り付けられている。キャリッジ７は、後述の制御部１１の制御下、図１中の左右方向（矢印Ｘ方向）及び前後方向（矢印Ｙ方向）に移動可能に構成されている。刺繍枠８ａは、キャリッジ７により駆動されることによって、操作パネル５において選択された幾何学模様、絵模様、文字等の刺繍模様が布地に刺繍されるように前後左右に移動するようになっている。刺繍縫いミシン１においては、スタート／ストップスイッチ４ａをＯＮ状態にすることによって、ミシンアーム３に取り付けられたミシン針９と前記キャリッジ７が協働して、刺繍縫いが行われるようになっている。
【００１５】
図２は、刺繍縫いミシン１の制御システム１０の概念を示すブロック図である。
【００１６】
制御システム１０は、制御部１１と、該制御部１１に接続されたＲＯＭ１３、ＲＡＭ１４、フラッシュメモリ１５、外部記憶手段としてのＲＯＭカード１２及び各種スイッチや検出基板等から構成される。
【００１７】
制御部１１は、例えばマイコン基板からなり、ＣＰＵや入出力インターフェースを有する。
【００１８】
ＲＯＭ（記憶手段）１３は、刺繍縫いミシン１における縫製動作や後述の表示処理を実行するための制御プログラムや制御データ、さらには内蔵模様としての実用縫い、模様縫い、文字縫い、及び刺しゅう縫いのための模様情報（運針情報及び表示情報）を記憶した模様記憶手段、及び後述する模様の種類に対応した縫い方説明情報と、個々の模様の種類とは無関係なミシンの一般的な説明情報としてミシンの使い方情報、アドバイスする情報、トラブル対処情報、エラーメッセージ情報、及び問い合わせ先情報を記憶する説明情報記憶手段を備えている。また、フラッシュメモリ１５は、不揮発的に各種データを記憶でき、書き込み読み出し可能なメモリであり、ＥＥＰＲＯＭや電池でバックアップしたＲＡＭであってもよい。
【００１９】
外部記憶手段としてのＲＯＭカード１２は、書き込み読み出し可能な記憶媒体でもよく、このＲＯＭカードには、各種刺繍模様の表示データとそれら刺繍模様を形成するための刺繍データが模様別に記憶されている。ＲＯＭ１３及びＲＯＭカード１２内の刺繍データは、多色模様については色別に運針情報を有する。
【００２０】
ＲＡＭ１４は、縫製作業や表示処理において、一時的にデータを作業領域内の空き領域に格納する一般的な構成が取られている。また、ＲＡＭ１４は操作パネル５で表示される模様選択画面に対応して選択模様や編集模様を記憶する編集バッファとしての役割を備える。そのために、第１と第２バッファ１４ａと１４ｂを備えている。
【００２１】
制御部１１は、ＲＯＭ１３中に書き込まれている制御プログラム、制御データ、刺繍データ、およびＲＯＭカード１２内の刺繍データに基づいて、入力される各種信号やデータを利用し、刺繍縫い動作や操作パネル５における各種表示処理を制御するようになっており、表示制御手段も有している。
【００２２】
電源基板２０は、商用電源を直流電源に変換して刺繍ミシン１に供給するもので、電源スイッチ２１がオンされると、制御部に直流電源が供給される。
【００２３】
また、制御部１１から電源基板を介してメインモー夕２３に関する制御信号が入力されると、メインモー夕２３が駆動され、前記ミシン針９が上下に動作するようになっている。メインモー夕２３の回転数は近傍に配置したＭＰ（モータパルス）検出基板２４によって検出する。なお、メインモー夕２３の回転速度は制御部１１に接続されているコントローラ２６及びスライドボリューム２５を介して制御され、また、起動停止は、スイッチ基板３０に設けられたスタートストップスイッチ４ａを操作することにより行われる。なお、スイッチ基板３０には、この他に、布送り方向を変更するためのリバーススイッチ４ｂや上糸と下糸を切断するための糸切り装置を作動するための糸切りスイッチ４ｃ、半針スイッチ４ｄが接続されている。
【００２４】
刺繍縫いミシン内部には、制御部１１に接続された３つのステッピングモー夕である針振りモー夕３２、送りモー夕３４、横送りモー夕３６が組み込まれている。ミシンに装着されている前記ミシンベッド６に刺繍装置８が装着されていない場合は、電源オン時にコネク夕５０によってこれを検出していわゆる本体ミシンモードとなり、模様選択及び編集する模様はすべて本体モードで模様縫いするための模様が自動的に設定され、模様選択及び編集可能に表示される。
【００２５】
そして、ミシンが起動すると、前記針振りモー夕３２、送りモー夕３４、横送りモー夕３６とメインモー夕２３によって、布送り歯による布送りと針振り移動とが協働して本体ミシンで選択した模様として、直線、ジグザグ、ボタン付け等の実用模様縫い、各種文字縫い、ワンポイントなどの小型のもよう縫いなどが実行される。各モー夕にはそれぞれの動作を検出するための針振り検出基板３１、送り検出基板３３、横送り検出基板３５、及び主軸検出基板３７を備えており、縫いデータによるモー夕制御を可能としている。
【００２６】
第１ソレノイド４０、第２ソレノイド４１、エンコーダー４２、ポテンショメー夕４３は、上糸を所定量供給する上糸供給装置を構成するものであり、エンコーダー４２は上糸の繰り出し量を検出して、もし上糸が切れた場合などで繰り出し量がゼロになった場合には、上糸切れと判断して操作者に警告するための上糸無しセンサーとしても機能する。ポテンショメー夕４３は布押え装置の布厚を計測するセンサであり、上糸繰り出し量を演算する場合のデータを与えるものである。
【００２７】
１針縫いスイッチ３８は、１針縫ってミシンのメインモー夕が停止するように制御される縫いスイッチである。ＢＨストップスイッチ４４ａとＢＨリバーススイッチ４４ｂからなるボタンホールスイッチ４４は、ボタンホールを縫う場合に左右の平行部の縫目端部を検出してボタンホール縫目を４方向で縫目形成できるようにするためのものである。
【００２８】
下糸検知用ＬＥＤ基板４５と下糸検知用受光基板４６は、ボビンに巻かれた下糸の巻回量を検出するものであり、所定量以下になった場合には操作者に警告を発するようになっている。
【００２９】
糸巻きスイッチ４７は、ボビンに下糸を巻き付ける際に、ボビンが糸巻き軸に装着されているかを検出して、ボビンが糸巻き軸に装着されているときには、針棒切り外し装置を作動して針棒の上下動を停止してボビンに糸巻きができるように制御される。
【００３０】
また、ランプスイッチ４８は、縫製作業時に手元を照らすランプ４９をＯＮ／ＯＦＦするスイッチである。
【００３１】
制御部１１には、制御部１１の制御の下で刺繍装置８（図１）に装着したキャリッジ７をＸＹ方向に駆動するＸＹ駆動手段５１が中継コネクター５０を介して接続されている。
【００３２】
ＸＹ駆動手段５１には、刺繍枠の種類、すなわち刺繍範囲の大きさを検出する枠スイッチ５２と枠スイッチ５３が設けられ、枠の大きさによって枠スイッチ５２と枠スイッチ５３のいずれかがＯＮ状態になり、枠の種類が判別されるようになっている。またＸ方向モー夕５４、及びＹ方向モー夕５５は、刺繍枠８ａをＸ方向、Ｙ方向に移動するためのステッビングモー夕であり、Ｘ検知基板５６、Ｙ検知基板５７によってＸ方向モー夕５４、及びＹ方向モー夕５５の原点がそれぞれ検出される。
【００３３】
電源オン時に、ミシンに装着されている前記ミシンベッド６に刺繍装置８が装着されている場合は、コネク夕５０によってこれを検出して制御部１１は刺繍モードになり、ＲＯＭカード１２又はＲＯＭ１３から読み出され表示された選択及び編集する模様は、すべて刺繍モードで刺繍縫いするための模様が対象となるように自動的に設定され、ミシンが起動すると、メインモータ２３とＸ方向モー夕５４、及びＹ方向モー夕５５とが協働して刺繍枠に固定された布に対して縫目形成され刺繍縫いが実行される。
【００３４】
表示基板６０は、図１に示す操作パネル５に内蔵される表示手段としてのカラー液晶表示ユニットであり、制御部１１からの制御信号によって所定の表示を行う。表示基板６０の背面にはバックライト６１が設置され、インバータ基板６２がバックライト６１に対して電源を供給する。また、操作パネル５は表示画面とともに、透明タッチスイッチを配置したタッチパネル６３を備え、このタッチパネル６３の所望の位置を押圧入力されると、その位置を検出して制御部１１は同じ位置に表示されている表示手段の内容を決定しその表示内容に関連した制御が実行され、必要に応じて表示基板６０の表示画面が切り換えられるようになっている。
【００３５】
自動上糸かけ装置６５は、ミシンの上端に設置した糸巻きから上糸を予めこの自動上糸掛け装置にセットしておき、後述の自動上糸かけキー７０ｄを押すことにより、上糸を天秤や自動糸繰り出し装置に糸通しして、さらに針棒の下端に装着した針の目孔に通す一連の作業を自動的に行なうように構成されている。
【００３６】
自動下糸巻き装置６６は、後述の自動下糸巻きキー７０ｅを押すことにより、針に通した上糸または下糸用の糸巻きのいずれか一方から引き出した下糸を、釜の中にセットした状態のボビンに引っかけ、次にボビンを回転させることで、ボビンに下糸を自動的に適量だけ糸巻きをするように構成されている。このような構成により、めんどうな下糸巻き作業から開放されるだけでなく、刺繍モードにおいて下糸が少なくなった場合に、キャリッジに刺しゅう枠を装着した状態で下糸巻きすることで継続的に刺しゅう縫いを実行することができる。
【００３７】
ミシンの電源オン時に、ミシンがミシン本体モードと判断した場合、図３に図示したような画面が初期画面として操作パネル５に現れる。表示基板６０の下にスイッチ７０ａ〜７０ｆからなる固定スイッチ７０が印刷により常時示されており、カラー液晶表示基板６０及び固定スイッチ７０全体が透明タッチスイッチパネル６３でカバーされている。固定スイッチ７０は、「ガイド」キー７０ａ、「保存読み出し」キー７０ｂ、「マニュアル調整」キー７０ｃ、「自動上糸かけ」キー７０ｄ、「自動下糸まき」キー７０ｅ、「一時保存」キー７０ｆから構成される。いずれかの固定スイッチを直接押圧操作すると、透明タッチスイッチパネル６３により直ちに検出して所望の機能を実行することができるようになっている。
【００３８】
次に、このように構成されたミシンにおいて模様選択並びに模様の縫製用途や縫い方説明を表示させる動作を説明する。
【００３９】
電源オン時のミシン本体モードでは、図３に示した画面が表示基板６０に現れる。使用者は、ここに表示される種々の模様６４を選択することができる。更に、「ガイド」キー７０ａを押すと、図４に示した画面となり、ここで「オプション」キー７２を押すと、図５に示した模様選択画面となる。
【００４０】
この模様選択画面では、第１の選択手段としての「もよう選択Ａ」ボタン８０と、第２の選択手段としての「もよう選択Ｂ」ボタン８１が設けられ、その左側に、それぞれのボタンが操作されたときに現れる画面構成の概略が図形８０ａ、８１ａとして表示される。
【００４１】
この画面の表示が、図６のサブルーチンのステップＳ１で示されており、続いて、「もよう選択Ａ」ボタン８０、あるいは「もよう選択Ｂ」ボタン８１を押し、その操作情報を保存する場合には、「設定おわり」ボタン８２を押して、フラッシュメモリ１５に保存する（ステップＳ２）。保存時には、図５（Ｂ）のようなメッセージが現れ、以降は、図５の画面がスキップされる。
【００４２】
ステップＳ３で、いずれのボタン８０、８１が選択されたかを判断する。「もよう選択Ａ」が選択された場合は、図３に示したように、複数の模様情報を表示して選択する画面になるので（ステップＳ４）、ここで所望する模様を選択する。図３では、「実用１」が選択され、直線模様６４が選択されていることが示されている。
【００４３】
続いて、「ガイド」キー７０ａを押すと（ステップＳ５）、図７（Ａ）に示した画面となり、選択された直線模様６４に対して、「ピンタック」の縫い用途が表示され、「こまったとき」キー７３を操作すると、図７（Ｂ）に示したように、直線縫いで「ギャザー」の縫い用途が表示され、更に、「こまったとき」キー７３を操作すると、図７（Ｃ）に示したように、直線縫いで「いせ込み」の縫い用途が表示される（ステップＳ６、Ｓ７）。
【００４４】
ステップＳ２で「もよう選択Ａ」ボタン８０を押した場合には、上述したように、模様選択画面と、選択された模様の縫製用途ないし縫い方説明が別の画面表示となり、選択操作が面倒になるので、それを避けたい使用者は、「もよう選択Ｂ」ボタン８１を押す。
【００４５】
このときは、図８（Ａ）に示したように、表示基板６０には、複数の模様情報が、選択できるように表示されるとともに、選択された模様の縫製用途が同じ画面に表示される（ステップＳ８）。すなわち、「実用」ボタン８３と「もよう」ボタン８６で、複数の模様情報から所望の模様を選択でき、選択された模様が画面領域８４に、またその模様の縫製用途が画面領域８５に表示される。図８（Ａ）では、「実用１」で直線の模様が選択され、その縫い用途が、「ピンタック」、「ギャザー」、「いせ込み」であることが表示され、それに対応して「ピンタック」ボタン８５ａ、「ギャザー」ボタン８５ｂ、「いせ込み」ボタン８５ｃが表示される。このとき、８５ａ、８５ｂ、８５ｃのボタンを操作すると、その縫い方説明が表示されるようになっている。
【００４６】
ここで、使用者が、「実用」ボタン８３と「もよう」ボタン８６で、他の模様を選択すると、例えば図８（Ｂ）に示すように、「実用２」で直線を選択すると、「ファスナー」の縫い用途があることが表示され、「脇あき」、「つき合わせ」、「小物」の縫製に利用できることが表示される。このとき、「脇あき」ボタン８５ｄ、「つき合わせ」ボタン８５ｅ、「小物」ボタン８５ｆが表示されるので、それを押すことにより対応した縫い方説明を表示させることができる。
【００４７】
同様に、図９（Ａ）に示すように、「実用３」でスカラップを選択すると、画面領域８５には、選択された模様に対する縫製用途が表示され、「スカラップ」ボタン８５ｇが表示されるので、これを操作すると、縫い方説明が表示できる。また「実用４」でジグザグ模様を選択すると、図９（Ｂ）に示したように、画面領域８５には、選択されたジグザグ模様に対する縫製用途が表示され、同様に対応するボタン８５ｈなどを押すと、その縫い方説明を表示することができる。
【００４８】
以上の説明で、複数の模様情報と、各模様の縫製用途ないし縫い方説明に関する情報は、ＲＯＭ１３あるいはフラッシュメモリ１５に記憶され、また、上述したような表示制御は画面に現れる、あるいは固定された各種ボタン、キーの押圧を検知することにより表示制御手段としての制御部１１により行なわれるものである。
【００４９】
また、上述した実施形態では、縫製用途に対応するボタンを押したときに、縫い方説明を表示するようにしているが、各模様の縫製用途及び縫い方説明を同時に表示したり、あるいはいずれか一方だけにすることもできる。
【００５０】
【発明の効果】
以上説明したように、本発明では、選択される模様に対応する縫い用途ないし縫い方説明などの情報を、模様選択画面に一緒に表示でき、ワンタッチで模様の選択、並びに選択された模様の縫い用途ないし縫い方説明を同じ画面に表示することができる。
【００５１】
また、本発明では、模様情報のみを表示した模様選択画面と、選択模様と縫い用途などを一緒に表示した模様選択画面を選択することができるので、幅広いユーザーの要望に対処することができる。
【図面の簡単な説明】
【図１】ミシンの外観を概略示す斜視図である。
【図２】ミシンの制御構成を示すブロック図である。
【図３】模様選択を示す画面表示図である。
【図４】ミシンの使い方を説明する画面表示図である。
【図５】模様選択の態様を切り換え選択するときの画面表示図である。
【図６】模様選択の流れを説明するフローチャート図である。
【図７】模様選択がなされた後、選択された模様の縫い用途表示を行う画面表示図である。
【図８】模様選択と、選択された模様の縫い用途表示を同じ画面にするときの画面表示図である。
【図９】模様選択と、選択された模様の縫い用途表示を同じ画面にするときの画面表示図である。
【符号の説明】
５  操作パネル
８  刺繍装置
１１  制御部
６０  表示基板
６３  タッチパネル
【図１】
0004636731.tif 000002
【図２】
0004636731.tif 000003
【図３】
0004636731.tif 000004
【図４】
0004636731.tif 000005
【図５】
0004636731.tif 000006
【図６】
0004636731.tif 000007
【図７】
0004636731.tif 000008
【図８】
0004636731.tif 000009
【図９】
0004636731.tif 000010